(57)【特許請求の範囲】
【請求項１】
視標を表示するための視標表示手段と、
表示された視標を観察するための接眼部と、
前記視標の大きさあるいは方向を設定する手段と、
前記視標の背景色を設定する手段とを有し、
前記視標が回転可能な円板の円周に沿って配置された複数の視標の一つを選択することによって表示され、また、それぞれ異なる色フィルタを装着した複数の色フィルタユニットの一つを光路中に挿入することにより前記背景色の設定を行い、視標の背景色を変化させて視力を測定できることを特徴とする視力計。
【請求項２】
視標を表示するための視標表示手段と、
表示された視標を観察するための接眼部と、
前記視標の大きさあるいは方向を設定する手段と、
前記視標の背景色を設定する手段と、
前記接眼部と視標間の光学距離を所定速度で変化させる手段とを備え、
前記視標が回転可能な円板の円周に沿って配置された複数の視標の一つを選択することによって表示され、視標の背景色と前記光学距離を変化させて視力を測定できることを特徴とする視力計。
【請求項３】
視標を表示するための視標表示手段と、
表示された視標を観察するための接眼部と、
前記視標の大きさあるいは方向を設定する手段と、
前記視標の背景色を設定する手段と、
所定の時間被検者の目を照明するための照明手段とを備え、
前記視標が回転可能な円板の円周に沿って配置された複数の視標の一つを選択することによって表示され、
視標の背景色を変化させ、被検者の目を所定の時間照明した後、設定した視標が識別できるまでの時間を測定することにより視力を測定することを特徴とする視力計。
【請求項４】
前記視標がランドルト環であることを特徴とする請求項１から３のいずれか１項に記載の視力計。
【請求項５】
前記背景色の設定が、回転可能な円板の周囲に沿って配置されている異なる背景色の一つに対応した色フィルタを選択し、その色フィルタを光路中に挿入することにより行なわれることを特徴とする請求項２又は３に記載の視力計。
【請求項６】
前記背景色の設定が、それぞれ異なる色フィルタを装着した複数の色フィルタユニットの一つを光路中に挿入することにより行われることを特徴とする請求項２又は３に記載の視力計。
【請求項７】
各色フィルタユニットには、そのユニットに装着される色フィルタが何色であるかを識別できるコードが設けられ、光路中に挿入された色フィルタユニットに装着されているフィルタの色が前記コードを読み取ることにより判別されることを特徴とする請求項１又は６に記載の視力計。
【請求項８】
視標を表示するための視標表示手段と、
表示された視標を観察するための接眼部と、
前記視標の大きさあるいは方向を設定する手段と、
前記視標の背景色を設定する手段とを有し、
前記視標が回転可能な円板の円周に沿って配置された複数の視標の一つを選択することによって表示され、また、異なる色フィルタを交換して装着できる色フィルタユニットを光路中に挿入することにより前記背景色の設定を行い、視標の背景色を変化させて視力を測定できることを特徴とする視力計。
【請求項９】
視標を表示するための視標表示手段と、
表示された視標を観察するための接眼部と、
前記視標の大きさあるいは方向を設定する手段と、
前記視標の背景色を設定する手段とを有し、
前記背景色の設定が、それぞれ異なる色フィルタを装着した複数の色フィルタユニットの一つを光路中に挿入することにより行われ、
各色フィルタユニットには、そのユニットに装着される色フィルタが何色であるかを識別できるコードが設けられ、光路中に挿入された色フィルタユニットに装着されているフィルタの色が前記コードを読み取ることにより判別され、
前記複数の色フィルタユニットの一つを光路中に挿入し、視標の背景色を変化させて視力を測定できることを特徴とする視力計。
【請求項１０】
視標を表示するための視標表示手段と、
表示された視標を観察するための接眼部と、
前記視標の大きさあるいは方向を設定する手段と、
前記視標の背景色を設定する手段とを有し、
前記背景色の設定が、異なる色フィルタを交換して装着できる色フィルタユニットを光路中に挿入することにより行われ、
前記色フィルタユニットに異なる色フィルタを装着し、視標の背景色を変化させて視力を測定できることを特徴とする視力計。
【発明の詳細な説明】
【０００１】
【発明の属する技術分野】
本発明は、視力計、特に、通常とは異なる背景色の状況で視力を測定できる視力計に関する。
【０００２】
【従来の技術】
自動車走行中の障害や、信号、標識などを素早く的確に判断することが必要なことから、動体視力が重要視され、その測定が行われている。この場合、動体視力とは、動く物を見る能力、すなわち、自分が動いていて静止している物を見る場合、あるいは自分が静止していて動く物を見る場合、あるいは両方が動いている場合などの視知覚能力をいい、一般に静止視力より約２０〜３０％低下するといわれている。
【０００３】
また、夜間では視力が低下することにより交通事故の原因が多くなることから、夜間での視力がどのくらいであるかを定量的に測定することが重要になっている。そこで、明順応の後での低照度下で視力を測定する夜間視力検査が行なわれている。
【０００４】
【発明が解決しようとする課題】
このように、従来では、静止視力のほかに動体視力ないし夜間視力を測定する視力計が提案されているが、サングラスをかけた状態、つまり通常とは異なる背景色の状況で動体視力および夜間視力を測定するものは提案されていない。
【０００５】
視覚障害者の中には暗順応しにくい人々がおり、このような人々は屋外から建物の中などに移動した際、しばらくの間何も見えない状態となる。またスポーツ選手など屋外で作業する人は眩しさにより能力が十分に発揮できない場合もある。このような人々は通常特定の波長域をカットするサングラスを着用しているが、個人により最適な色特性が異なる。そのため個人に適したサングラスを決めることが難しかった。
【０００６】
本発明は、このような問題点を解決するためになされたもので、特定の波長光での視力を定量的に測定することが可能な視力計を提供することをその課題とする。
【０００７】
【課題を解決するための手段】
上記課題を解決する本発明（請求項１）は、視標を表示するための視標表示手段と、表示された視標を観察するための接眼部と、前記視標の大きさあるいは方向を設定する手段と、前記視標の背景色を設定する手段とを有しており、前記視標が回転可能な円板の円周に沿って配置された複数の視標の一つを選択することによって表示され、また、それぞれ異なる色フィルタを装着した複数の色フィルタユニットの一つを光路中に挿入することにより前記背景色の設定を行い、視標の背景色を変化させて視力を測定できることを特徴としている。また、請求項８の発明では、背景色の設定が異なる色フィルタを交換して装着できる色フィルタユニットを光路中に挿入することにより行われている。これにより、特定の波長光における静止視力を測定できる。
【０００８】
また、本発明（請求項２）では、接眼部と視標間の光学距離を所定速度で変化させる手段を備えており、これにより視標の背景色と光学距離を変化させることができる。このような構成により特定の波長光における動体視力を測定することが可能になる。
【０００９】
また、本発明（請求項３）では、所定の時間被検者の目を照明するための照明手段を備えており、視標の背景色を変化させ、被検者の目を所定の時間照明した後、設定した視標が識別できるまでの時間を測定する。このような構成により特定の波長光における夜間視力を測定することが可能になる。
【００１０】
このように、本発明（請求項３）では、暗順応能力が弱く、日常生活において不便を感じている視覚障害者や、眩しさを軽減したいと考えている人の特定の波長光での視力を定量的に測定することが可能となり、最適なサングラスの色特性を求めるのに効果的である。
また、本発明（請求項９）では、背景色の設定がそれぞれ異なる色フィルタを装着した複数の色フィルタユニットの一つを光路中に挿入することにより行われ、各色フィルタユニットには、そのユニットに装着される色フィルタが何色であるかを識別できるコードが設けられ、光路中に挿入された色フィルタユニットに装着されているフィルタの色が前記コードを読み取ることにより判別され、前記複数の色フィルタユニットの一つを光路中に挿入し、視標の背景色を変化させて視力が測定される。
また、本発明（請求項１０）では、背景色の設定が、異なる色フィルタを交換して装着できる色フィルタユニットを光路中に挿入することにより行われ、前記色フィルタユニットに異なる色フィルタを装着し、視標の背景色を変化させて視力が測定される。
【００１１】
【発明の実施の形態】
以下に、図面に示す実施の形態に基づいて本発明を詳細に説明する。
【００１２】
図１（Ａ）、（Ｂ）には、本発明の１実施形態に係わる視力計の正面並びに側面が概略図示されており、符号１で示すものは接眼部で、被検者がこの接眼部１の左眼部１ａに左眼を、また右眼部１ｂに右眼を当て視標を観察する。視力計には、ガイド２に沿って伸縮できる暗幕３が設けられており、視標の観察が良好にできるようになっている。
【００１３】
また、視力計の側面には、図２に詳細に図示したような操作パネル５が配置されている。操作パネル５には、電源スイッチ５ａが設けられ、この電源スイッチを入れると、夜間視力測定スイッチ５ｂ、動体視力測定スイッチ５ｂ’、静止視力測定スイッチ５ｃが点灯する。更に、左眼、両眼、右眼選択スイッチ５ｄ〜５ｆが設けられ、これらのスイッチを操作することにより被検眼の左眼、両眼、右眼をそれぞれ視標観測状態にすることができる。視標スイッチ５ｇ〜５ｊはそれぞれ公知の視標（ランドルト環）の切れ目の方向を切り替えるもので、また視力変更スイッチ５ｍ、５ｎは視標を変更して視力値を変更するもので、変更された視力値が表示部５ｑに表示される。また、順応時間表示部５ｐには、暗順応時間の経過が表示できるようになっている。
【００１４】
更に、表示パネル５には、被検眼の開眼ないし閉眼状態を表示する点灯ランプ５ｘが設けられ、その下部にその検知感度を変更できる感度調節ボタン５ｙが配置されている。また、視野濃度ボタン５ｋにより視標の照明光路に種々の濃度の減光フィルタを挿入できるようになっており、それにより視標の背景濃度を変化させることができる。挿入されたフィルタ濃度、すなわち視標濃度はグレア出力として表示部５ｑ’に表示させることができ、減光フィルタの濃度が大きいと、大きなグレア出力値が表示される。
【００１５】
また、背景色選択ボタン５ｒにより視標の照明光路に種々の色フィルタを挿入でき、それにより視標の背景色を変化させることができる。どの色フィルタが選択されたかは、表示部５ｓにフィルタの色が示されることにより表示される。
【００１６】
なお、図１（Ａ）において、符号６で示すものは、被検者が視標の切れ目を認識して視標を確認できたときに押下する応答スイッチである。
【００１７】
また、図１（Ｂ）に示すように、視力計の本体側部には、後述するようにプリンタ６５を接続するプリンタ接続端子７が設けられており、また、視力計は、ＬＡＮ接続端子８を介して他のネットワークにあるコンピュータ（ＰＣ）本体９ａ、モニター９ｂ、プリンタ９ｃからなるネットワークコンピュータ９と接続できるようになっている。
【００１８】
図３（Ａ）には、視力計の光学配置並びに制御部の配置が示されており、同図において、被検者の左眼１０並びに右眼１０’は、測定時、接眼部１ａ、１ｂに配置されたカバーガラス１１、１１’、シャッター１２、１２’の前に位置する。左眼選択スイッチ５ｄを操作すると、シャッター１２が、また右眼選択スイッチ５ｆを操作すると、シャッター１２’が、更に両眼選択スイッチ５ｅを操作すると、両シャッター１２、１２’がそれぞれＣＰＵ４０により作動されるアクチュエータ４１により駆動され光路から離脱するようになる。
【００１９】
シャッター１２が光路から離脱すると、ミラー１３、１４、ハーフミラー１４’、可動プリズム３０、合焦レンズ１５を介し、反射ドーム１６の窓ガラス１６ａを通して反射ドームの背後に配置された視標板１７を観察することができ、一方シャッター１２’が光路から離脱すると、ミラー１３’、ハーフミラー１４’、可動プリズム３０、合焦レンズ１５を介し、反射ドーム１６の窓ガラス１６ａを通して反射ドームの背後に配置された視標板１７を観察することができる。
【００２０】
可動プリズム３０は、ＣＰＵ４０で制御されるプリズムモータ３３により光路に沿って所定の速度で移動され、それにより接眼部と視標間の光学距離が変化し、接眼部を介して観察される視標板の視標の大きさ（倍率）がその変化に応じて変化する。この場合、移動速度は、例えば２０ｋｍ／ｈ〜６０ｋｍ／ｈの範囲で変化させることができる。
【００２１】
反射ドーム１６は、内部が拡散性の部材で形成され、ＣＰＵ４０の制御のもとに駆動される動体ないし静止視力用のドーム照明光源４２で照明され拡散照明される。この反射ドーム１６は、夜間視力を測定する場合には、被検眼を明順応させるために明順応用のドーム照明光源（ハロゲンランプ）４６を用いて照明される。
【００２２】
視標板１７はその軸１７ａが、ＣＰＵ４０により駆動されるステッピングモータ４３の軸に結合されており、またその周囲には、図３（Ｂ）に示したように、ランドルト環として形成された複数の視標１７ｂが透過拡散性のディスクに黒色（光を透過しない）の模様として配列されている。各視標は切れ目がそれぞれ９０度異なる４個の視標を組にして各組の大きさが視力値に対応してそれぞれ異なるようになっており、ステッピングモータ４３を駆動することによりその一つが反射ドームの窓１６ｂに移動される。また、夜間視力を測定するために、例えば視力値０．２に対応する視標には、拡散板１７ｃが被覆されている。
【００２３】
更に、各視標は、動体ないし静止視力を測定する場合には、ＣＰＵ４０の制御のもとに駆動される視標照明光源４４でハーフミラー１８を介して背後から照明され、また夜間視力を測定する場合には、同様にＣＰＵ４０の制御のもとに駆動される夜間視力用の視標照明光源４５でハーフミラー１８を介して照明される。この場合、各光源４４、４５はその光量を調節できるようになっている。
【００２４】
更に、各光源で照明される指標は、濃度調節ディスク３２により減光され背景濃度が調節できるようになっている。濃度調節ディスク３２はその軸３２’が、ステッピングモータ３１の軸に結合されており、またその周囲には、図３（Ｃ）に示したように、濃度の異なる複数の減光フィルタ（ＮＤフィルタ）が円周に沿って配置されている。例えばフィルタ３２ａはスルーで減光なしであり、図において右回りに次第に濃度が高くなり、フィルタ３２ｂでは最も濃度が高くなり、減光が強くなるようになっている。ステッピングモータ３１は、視野濃度ボタン５ｋを押下する毎に４５°ずつ回転するので視野濃度ボタン５ｋの押下に応じて順次濃度の異なる減光フィルタを照明光路に挿入することができる。
【００２５】
更に、ハーフミラー１４’と可動プリズム３０間には、色フィルタディスク６１が配置され、視標の背景色を変化できるようになっている。色フィルタディスク６１は、ＣＰＵ４０により制御されるステッピングモータ６０によりその軸を中心にして回転できるように構成されており、その周囲には、図３（Ｄ）に示したように、種々の色フィルタが配置されており、例えば、フィルタ６１ａはスルーで背景色なしであり、フィルタ６１ｂはＡ色のフィルタ、フィルタ６１ｃはＢ色のフィルタ、フィルタ６１ｄはＣ色のフィルタ、フィルタ６１ｅはＤ色のフィルタ、フィルタ６１ｆはＥ色のフィルタなどであり、それぞれその色に対応した波長を透過させるフィルタである。ステッピングモータ６０は、背景色選択ボタン５ｒを押下する毎に４５°ずつ回転するので背景色選択ボタン５ｒの押下に応じて順次色の異なる色フィルタを照明光路に挿入することができる。各視標は黒色であり、色フィルタの挿入によりその波長特性はほぼ変化しないので、実質的に視標の背景色を挿入した色フィルタの色に応じて変化させることができる。
【００２６】
また、各表示された視標は、合焦レンズ１５を調節することにより接眼部に対して視力測定に最適な光学距離に設定することができ、５ｍの見掛け視標を形成することができる。また測定中まばたきなどにより測定に支障をきたすのを防止するために、明順応用のドーム照明光源４６で照明される被検眼からの反射光を受光する受光素子４７が設けられ、この受光素子からの信号がＣＰＵ４０に入力される。まぶたが閉じ受光素子４７に入射する光量が減少すると、ランプ５ｘが点灯する。なお、このまぶたがが閉じてランプ５ｘを点灯させる感度は、感度調節ボタン５ｙで調節することができる。
【００２７】
ＣＰＵ４０は、クロック５０により駆動され、メモリ５１には視力検査に必要なプログラム、データなどが格納されている。ＣＰＵ４０は、インターフェース５２を介して操作パネル５に配置された各種スイッチないしボタンあるいは応答スイッチ６からの信号を取り込むことができ、また各種データを表示器５ｐ、５ｑ、５ｑ’、５ｓないしランプ５ｘに表示させることができる。さらにプログラム進行を案内する音声ガイダンスが音声ガイダンス部５３から出力できるようになっている。また、測定結果などは、プリンタ６５に出力できるようになっている。
【００２８】
次に、図４のフローチャートを参照して夜間視力並びに動体ないし静止視力を測定する流れを説明する。このプログラムは、メモリ５１に格納されており、ＣＰＵ４０の制御のもとに実行される。
【００２９】
まず、ステップＳ１において電源スイッチ５ａをオンにする。これにより夜間視力測定スイッチ５ｂ、静止視力測定スイッチ５ｃ、動体視力測定スイッチ５ｂ'が点灯し、各視力測定状態となる。
【００３０】
ステップＳ２において、夜間視力測定スイッチ５ｂが押されると、夜間視力測定が開始され、このときまずステップＳ３でアクチュエータ４１によりシャッター１２、１２’が光路から離脱される。夜間視力は両眼で測定するのが通常であるが、いずれかの眼で測定する場合には、それに応じたシャッターを光路から離脱させる。また、ステップＳ４において、ステッピングモータ４３を駆動することにより例えば０．２の視力値に対応する所定方向に切れ目のある視標がその上の拡散板１７ｃとともに拡散ドーム１６の窓１６ｂに移動される。また、視野濃度ボタン５ｋを押すことによりステッピングモータ３１を駆動し濃度調節ディスク３２を回転することにより、いずれかの減光フィルタを光路に挿入する。このときの濃度、すなわちグレア出力値が表示器５ｑ’に表示される。
【００３１】
更に、背景色選択ボタン５ｒを押すことによりステッピングモータ６０を駆動し、色フィルタディスク６１を回転させることにより所定の色フィルタを光路に挿入し、視標の背景色を設定することができる。このときの選択された色フィルタの色が表示器５ｓに表示される。
【００３２】
このとき、ステップＳ５で夜間視力用の視標照明光源４５が点灯され、背後から該視標が照明される（例えば、０．１〜０．１５ｃｄ／平方ｍの暗い輝度で照明される）。
【００３３】
また、夜間視力測定の場合、被検眼を十分明順応させておく必要があるので、ステップＳ６で明順応用のドーム照明光源４６を点灯し、ドーム並びに被検眼を照明する（例えば５７００ｃｄ／平方ｍの輝度で照明）。約３０秒で明順応されるので、その後光源４６を消灯し、ステップＳ７で被検者の応答を待つ。被検者は照明光源４６の消灯によりほぼ暗やみの状態にされるが、そのうち暗順応して表示されている視標の切れ目が確認できるようになる。そして、被検者は視標の切れ目が識別できると、応答スイッチ６で応答する。
【００３４】
光源４６が消灯後応答までの時間はＣＰＵ内のタイマー（不図示）により計時され、表示器５ｐに表示される。この時間は被検者の暗順応能力、すなわち夜間視力を定量的に示しており、夜間視力として測定される。この場合、グレア出力値が表示器５ｑ’に表示されるので、予め求められるグレア出力値と応答時間の特性曲線からグレア感度障害があるかを診断することができる。また、設定した背景色での視力値を測定できるので、特定波長光での夜間視力を定量的に測定することができる。
【００３５】
なお、照明光源４６を点灯して被検眼を明順応させる間被検眼のまぶたが開いているか否かが受光素子４７を用いて測定され、まばたきなどで閉眼状態になったときは、ランプ５ｘが点灯して検者にそれを知らせる。
【００３６】
一方、ステップＳ２において、静止視力測定スイッチ５ｃが選択されたときは、静止視力測定が開始され、ステップＳ１３において、スイッチ５ｄ〜５ｆによりどの眼が選択されているかに従ってシャッター１２あるいは１２’あるいはその両方が光路から離脱される。ステップＳ１４で視標が視標照明光源４４で照明され、また反射ドーム１６がドーム照明光源４２で照明される。ステップＳ１５で視力変更スイッチ５ｍ、５ｎ及び視標スイッチ５ｇ〜５ｊを用いて所定の視力値に対応する視標が設定されると、ステッピングモータ４３が回転して選択された視標が窓１６ｂに移動する。また視野濃度ボタン５ｋを押すことによりステッピングモータ３１を駆動し濃度調節ディスク３２を回転することにより、いずれかの減光フィルタを光路に挿入する。このときの濃度、すなわちグレア出力値が表示器５ｑ’に表示され、またこのとき設定されている視力値が表示器５ｑに表示される。
【００３７】
同様に、背景色選択ボタン５ｒを押すことによりステッピングモータ６０を駆動し、色フィルタディスク６１を回転させることにより所定の色フィルタを光路に挿入し、視標の背景色を設定する。このときの選択された色フィルタの色が表示器５ｓに表示される。
【００３８】
被検者は視標が確認できた場合は、応答スイッチ６で応答し（ステップＳ１６）、確認できない場合は、ステップＳ１５に戻って検者は視標スイッチ５ｇ〜５ｊあるいは視力変更スイッチ５ｍ、５ｎを変更し、あるいは視野濃度ボタン５ｋを押すことにより視野の背景濃度を変更して、あるいは背景色選択ボタン５ｒを押して視標の背景色を変更して被検者が確認できるまでこれを繰り返す。応答のあったとき表示器５ｑに表示されている値を静止視力として測定する（ステップＳ１７）。この場合、グレア出力値が表示器５ｑ’に表示されるので、予め求められるグレア出力値と静止視力値の特性曲線からグレア感度障害があるかを診断することができる。また、設定した背景色での視力値を測定できるので、特定波長光での静止視力を定量的に測定することができる。
【００３９】
また、ステップＳ２において、動体視力測定スイッチ５ｂ’が選択されたときは、動体視力測定が開始され、ステップＳ２３において、スイッチ５ｄ〜５ｆによりどの眼が選択されているかに従ってシャッター１２あるいは１２’あるいはその両方が光路から離脱される。ステップＳ２４で視標が視標照明光源４４で照明され、また反射ドーム１６がドーム照明光源４２で照明される。ステップＳ２５では、視力変更スイッチ５ｍ、５ｎ及び視標スイッチ５ｇ〜５ｊを用いて所定の視力値に対応する視標が設定される。そして、その設定値に応じて、ステッピングモータ４３が回転して選択された視標が窓１６ｂに移動する。また視野濃度ボタン５ｋを押すことによりステッピングモータ３１を駆動し濃度調節ディスク３２を回転することにより、いずれかの減光フィルタが光路に挿入される。このときの濃度、すなわちグレア出力値が表示器５ｑ’に表示される。
【００４０】
同様に、背景色選択ボタン５ｒを押すことによりステッピングモータ６０を駆動し、色フィルタディスク６１を回転させることにより所定の色フィルタを光路に挿入し、視標の背景色を設定する。このときの選択された色フィルタの色が表示器５ｓに表示される。
【００４１】
続いて、ステップＳ２６で可動プリズム３０を移動させることにより接眼部と視標間の光学距離を変化させて、視標の倍率を変化させる。被検者は接眼部を介してだんだん大きくなる視標の輪を観察し、輪の切れた方向が判った段階で応答スイッチ６で応答する（ステップＳ２７）。ＣＰＵ４０は、インターフェース５２を介して取り込まれるこの情報からそのときのプリズム３０の位置に基づき動体視力を演算して（ステップＳ２８）、それを表示器５ｑに表示させる。この場合、グレア出力値が表示器５ｑ’に表示されているので、予め求められるグレア出力値と動体視力値の特性曲線からグレア感度障害があるかを診断することができる。また、設定した背景色での視力値を測定できるので、特定波長光での動体視力を定量的に測定することができる。
【００４２】
上記の夜間視力あるいは動体視力測定中に応答スイッチ６からの応答がない場合には、自動的に視力値を変更させるなど測定プログラムを変化させて測定を進行させることもできる。また、夜間視力測定中まぶたが閉じたときには、その旨をランプ５ｘで検者に知らせたりあるいは音声で検者並びに被検者に知らせたりすることができる。更にまぶたが閉じたときには、自動的にまぶたが閉じたことを検出する検出レベルを変更して再度測定をやり直すように測定プログラムを変更することもできる。また各測定の進行等を音声ガイダンス５３で随時出力し、予め設定しておいたプログラムに沿って被検者を音声誘導させることもできる。
【００４３】
なお、上記の静止、動体並びに夜間視力測定において、視標の背景色を変化させる場合、視標の背景濃度が濃くなって、所定背景色における視力の測定が困難になる場合、あるいは純粋に背景色による影響を測定したい場合には、視標の背景濃度を０、すなわち濃度調節ディスク３２でスルーのフィルタ３２ａを選択し、更に背景色選択ボタンで種々の背景色を選択し、その選択された背景色において視標の大きさあるいは方向を変化させ、視力を測定するようにする。
【００４４】
図５には、例えば、０．２の視力値に対応する所定方向に切れ目のある視標で、背景濃度がなく（スルーのフィルタ３２ａが選択）、色フィルタ６１ｂ〜６１ｆが選択されたときの応答時間が示されており、これは例えば、プリンタ６５を介してプリントでき、またネットワーク上の他のコンピュータ９ａに転送し、そこに接続されたプリンタ９ｃによってもプリントアウトすることができる。
【００４５】
なお、上述した実施形態では、色フィルタディスク６１に配置できる色フィルタの数が制限されるために、多種の色フィルタを使用できない、という難点があるので、色フィルタディスクの代わりに種々の色フィルタを用いた実施形態を図６を用いて説明する。
【００４６】
この実施形態では、図６（Ａ）に示したように、接眼部１にフィルタ挿入溝１ｃが設けられ、この挿入溝１ｃには、それぞれＡ色のフィルタ７０ａ、Ｂ色のフィルタ７１ａ、Ｃ色のフィルタ７２ａを装着した色フィルタユニット７０、７１、７２、．．．．．の一つが挿入できるようになっており、左眼部１ａ並びに右眼部１ｂに入射する光の波長特性を変化させることができる。各視標は黒色であり、色フィルタユニットの挿入によりその波長特性はほぼ変化しないので、実質的に視標の背景色を挿入した色フィルタの色に応じて変化させることができる。
【００４７】
この場合、挿入された色フィルタユニットが何色のフィルタであるかを識別するために、各色フィルタユニットには、図６（Ｂ）〜（Ｄ）に示したように、色識別コードが設けられる。図６（Ｂ）に示した例では、色フィルタユニット７０の色フィルタ７０ａに下方部に、光を遮断あるいは透過を切り換えることができる小窓７０ｂを複数設け、各小窓を遮断小窓（黒印）とするか、あるいは透過小窓（白印）とすることにより、色フィルタの色をコード化する。
【００４８】
また図６（Ｃ）に示した例では、色フィルタユニット７０の本体と反射率の異なるマーク７０ｃを取り付け、また図６（Ｄ）に示した例では、色フィルタユニット７０の下方部に切り欠け７０ｄを設け、色フィルタの色をコード化する。これらの色コードは、図３で点線で図示したような光学的に色コードを読み取る読み取り色コード判別手段８０により読み取られ、ＣＰＵ４０が設定された視標背景色を認識する。
【００４９】
また、上述した実施形態では、複数の色フィルタユニットを設けるようにしたが、図６（Ｅ）に示したように、複数の色フィルタ９１、９２、９３、．．．．．を交換して取り付けることができる単一の色フィルタユニット９０を用いて、視標の背景色を設定することもできる。この色フィルタユニット９０は、接眼部１の挿入溝１ｃに挿入可能であり、また色フィルタユニット９０には、透過部９０ａが形成され、また種々の色フィルタ９１、９２、９３、．．．．．を挿入できる挿入溝９０ｂが形成されている。所望の背景色を設定したい場合には、設定したい背景色と同じ色の色フィルタを色フィルタユニット９０に取り付ける。これにより透過部９０ａにはその色の色フィルタが現れるので、色フィルタユニット９０を接眼部１の挿入溝１ｃに挿入することにより視標の背景色を該色フィルタの色に設定することができる。この方法によっても、図６（Ａ）に示した実施形態と同様な効果を得ることができる。
【００５０】
また、図７（Ａ）に図示した実施形態のように、例えばＡ色の色フィルタ１００ａを装着した色フィルタユニット１００と、Ａ色の背景濃度を変化させるために、所定の濃度を有する濃度フィルタ１００ａ’を装着した濃度フィルタユニット１００’を組にして重ね、これを接眼部１のフィルタ挿入溝１ｃに挿入するようにしてもよい。Ａ色の濃度を異なる濃度に変化させる場合には、他の濃度の濃度フィルタを装着した濃度フィルタユニットとＡ色の色フィルタ１００ａを装着した色フィルタユニット１００とを組み合わせればよいし、また他の色の所定濃度の背景色を作りたい場合には、他の色のフィルタを装着したフィルタユニットと、所定の濃度の濃度フィルタを装着した濃度フィルタユニットを組にしてフィルタ挿入溝１ｃに挿入する。この実施形態の場合には、色フィルタディスク６１並びに濃度調整ディスク３２を省略することができ、また背景色並びに背景濃度の数を色フィルタディスク６１並びに濃度調整ディスク３２で実現できるものよりも多くすることができ、種々の濃度を持った種々の背景色での視力を測定することが可能になる。
【００５１】
更に、図７（Ｂ）に示したように、透過部１１０ａと挿入溝１１０ｂが形成された単一のフィルタユニット１１０を用い、所定の色の色フィルタ１２０と、所定濃度の濃度フィルタ１２０’を組にして、これを挿入溝１１０ｂに挿入し、フィルタユニット１１０を接眼部１の挿入溝１ｃに挿入するようにしてもよい。所望の濃度で所望の背景色を設定したい場合には、設定したい背景色と同じ色の色フィルタと、設定したい濃度の濃度フィルタを組にしてフィルタユニット１１０に取り付けるようにする。図７（Ｂ）に示した実施形態でも、図７（Ａ）に示した実施形態と同様な効果を得ることができる。
【００５２】
【発明の効果】
以上説明したように、本発明では、視標の背景色を種々に設定して視力を測定できるので、特定の波長光での視力を定量的に測定することが可能となる。
【図面の簡単な説明】
【図１】（Ａ）は本発明の一実施形態に係わる視力計の正面図、（Ｂ）はその側面図である。
【図２】操作パネルの各種スイッチの配置を示した配置図である。
【図３】（Ａ）は視力計の光学系の構成並びに制御系の構成を示した構成図、（Ｂ）は視標板の正面図、（Ｃ）は濃度調節ディスクの正面図、（Ｄ）は色フィルタディスクの正面図である。
【図４】視力の測定の流れを示すフローチャート図である。
【図５】色フィルタを変化させて視力（応答時間）を測定した結果を示す線図である。
【図６】色フィルタを選択する他の実施形態を示した説明図である。
【図７】色フィルタと濃度フィルタを選択する他の実施形態を示した説明図である。
【符号の説明】
６  応答スイッチ
１２、１２’  シャッター
１６  拡散ドーム
１７  視標板
３０  可動プリズム
３２  濃度調節ディスク
６１  色フィルタディスク
７０、７１、７２  色フィルタユニット
【図１】
0004705228.tif 000002
【図２】
0004705228.tif 000003
【図３】
0004705228.tif 000004
【図４】
0004705228.tif 000005
【図５】
0004705228.tif 000006
【図６】
0004705228.tif 000007
【図７】
0004705228.tif 000008